【事件の表示】
　平成　７年特許願第１６０９２９号「電子カメラおよびカメラの外部制御システム」拒絶査定不服審判事件〔平成　９年　１月１７日出願公開、特開平　９−　１８８１８、請求項の数（１０）〕について、次のとおり審決する。
【結　論】
　原査定を取り消す。
　本願の発明は、特許すべきものとする。
【理　由】
１．経緯
（１）手続
　本願は平成７年６月２７日の出願である。
　本件は、本願についてされた拒絶査定（平成１６年８月２４日付け）を不服とする平成１６年９月２４日の請求であり、平成１６年１０月２５日付けで手続補正書（明細書及び図面について請求の日から３０日以内にする補正）が提出された。
　
（２）査定
　原査定の理由は、概略、下記のとおりである。
　　　　　記（査定の理由）
　本願各発明（請求項１から請求項１１まで）は、下記刊行物に記載された各発明に基づいて当業者が容易に発明をすることができたものであるから、特許法第２９条第２項の規定により、特許を受けることができない。
　　　　　記（引用刊行物）
　刊行物１：特開平６−３１５１０６号公報
　刊行物２：特開平７−１３１７４６号公報
　刊行物３：特開平５−６８２０１号公報
　
２．補正の適合性
　平成１６年１０月２５日付けの手続補正（本件補正）は、特許法第１７条の２第３項、第４項及び第５項（同項で準用する第１２６条第５項）の各規定に適合する。詳細は、以下のとおりである。
　
（１）補正の内容
　本件補正は、次のような補正事項を含むものである。
　（ａ）補正事項１
　請求項１について、
　（ａ１）補正前の請求項４に記載した「上記記録媒体に記録されている複数の外部プログラムに対応するサンプル画像情報を保持するサンプル画像情報保持手段と、」（補正後）を加入する。
　（ａ２）補正前の請求項４に記載した「上記サンプル画像情報保持手段に保持されているサンプル画像情報を表示するための表示手段と、」を加入し、更に、該表示手段を、
　「上記サンプル画像情報保持手段に保持されているサンプル画像情報を表示させ、当該サンプル画像情報によって対応する上記外部プログラムを指定可能とするためのサンプル画像情報表示手段と、」（補正後）と補正する。
　（ａ３）「上記外部プログラムを実行して画像情報を生成する画像情報生成手段と、」（補正前）とあるのを、
　「指定された上記外部プログラムを実行して画像情報を生成する画像情報生成手段と、」（補正後）と補正する。
　（ｂ）補正事項２
　補正前の請求項４を削除し、以降の請求項の項番を１つずつ繰り上げる。
　（ｃ）補正事項３
　請求項６（補正前）について、
　「上記プログラム特定手段によって特定された外部プログラムを電子カメラに転送するプログラム転送手段と」（補正前）とあるのを、
　「上記プログラム特定手段によって特定された外部プログラムを、当該外部プログラムにより発生可能な画像効果を表現したサンプル画像とともに上記カメラに転送するプログラム転送手段と」（補正後）と補正し、新たに請求項５（補正後）とする。
　（ｄ）補正事項４
　請求項１０（補正前）について、
　（ｄ１）「上記記録媒体に記録されているプログラムに対応するサンプル画像情報を保持するサンプル画像情報保持手段と、」（補正後）を加入する。
　（ｄ２）「上記サンプル画像情報保持手段に保持されているサンプル画像情報を表示させ、当該サンプル画像によって対応する上記プログラムを指定可能とするための表示手段と、」（補正後）を加入する。
　（ｄ３）「上記プログラムを実行して画像情報を生成する画像情報生成手段と、」（補正前）とあるのを、
　「指定された上記プログラムを実行して画像情報を生成する画像情報生成手段と、」（補正後）と補正する。
　（ｄ４）上記（ｄ１）から（ｄ３）までの補正を行い、新たに請求項９（補正後）とする。
　
（２）補正の適否
（２−１）補正の範囲
　上記各補正事項は、願書に最初に添付した明細書の記載（段落0042、段落0045〜段落0047、段落0054、段落0066〜段落0068）に基づくものであり、願書に最初に添付した明細書及び図面に記載した事項の範囲内においてする補正である。
　
（２−２）補正の目的
　補正事項２は請求項の削除に該当する。
　補正事項１は補正前の請求項１を引用する請求項４の「表示手段」及び「画像情報生成手段」の内容を具体的に限定するものであり、補正事項３は補正前の請求項６の「プログラム転送手段」の内容を具体的に限定するものであり、補正事項４は補正前の請求項１０の内容に発明の特定事項を直列的に付加するものである。しかも、補正事項１、補正事項３および補正事項４のいずれにおいても、補正の前後において、産業上の利用分野及び解決しようとする課題は同一であるから、補正事項１、補正事項３および補正事項４は、いずれも特許請求の範囲の減縮に該当する。
　
（２−３）独立特許要件
　補正事項１、補正事項３および補正事項４は特許請求の範囲の減縮を目的とするので、独立特許要件について検討する。
　（ａ）補正後発明
　補正後の請求項１から請求項１０までに係る発明（総称して、補正後各発明という）は、下記のとおりである。
　　　　　記（補正後各発明）
　【請求項１】　画像情報を格納した画像ファイルを作成して記録媒体に記録するようにした電子カメラにおいて、
　上記画像情報を生成するときに用いられる外部プログラムを記録媒体に記録する外部プログラム記録手段と、
　上記記録媒体に記録されている複数の外部プログラムに対応するサンプル画像情報を保持するサンプル画像情報保持手段と、
　上記サンプル画像情報保持手段に保持されているサンプル画像情報を表示させ、当該サンプル画像情報によって対応する上記外部プログラムを指定可能とするためのサンプル画像情報表示手段と、
　指定された上記外部プログラムを実行して画像情報を生成する画像情報生成手段と、
　上記画像情報生成手段によって生成された画像情報、および上記画像情報を生成するために用いられた外部プログラムを特定するための情報を格納して画像ファイルを作成する画像ファイル作成手段と
　を具備することを特徴とする電子カメラ。
　【請求項２】　上記記録媒体に複数の外部プログラムが記録されるようになされているとともに、上記記録媒体に記録されている複数の外部プログラムのうちの一つをユーザーが選択できるようにするプログラム選択手段を更に具備することを特徴とする請求項１に記載の電子カメラ。
　【請求項３】　上記記録媒体に記録されている複数の外部プログラムのそれぞれに対応するテキスト情報を保持するテキスト情報保持手段と、
　上記テキスト情報保持手段に保持されているテキスト情報を表示するためのテキスト情報表示手段とを更に具備することを特徴とする請求項１または２に記載の電子カメラ。
　【請求項４】　上記サンプル画像情報が格納されるサンプル画像ファイルに、上記サンプル画像を生成するのに用いる外部プログラムに関する情報を格納するようにしたことを特徴とする請求項１乃至３のいずれか１項に記載の電子カメラ。
　【請求項５】　カメラに接続され、当該カメラにおいて画像生成に使用する外部プログラムを格納し、且つ当該外部プログラムを上記カメラに供給可能な外部制御システムであって、
　画像ファイル中に格納されている画像情報を生成するときに用いられた外部プログラムを、上記画像ファイルに当該画像情報とともに格納されている外部プログラムに関する情報に基づいて特定するプログラム特定手段と、
　上記プログラム特定手段によって特定された外部プログラムを、当該外部プログラムにより発生可能な画像効果を表現したサンプル画像とともに上記カメラに転送するプログラム転送手段と
　を具備することを特徴とするカメラの外部制御システム。
　【請求項６】　上記プログラム転送手段は、上記プログラム特定手段によって特定された外部プログラムをユーザーの指示に応じて上記カメラに転送することを特徴とする請求項５に記載のカメラの外部制御システム。
　【請求項７】　上記画像情報を表示する表示手段を具備することを特徴とする請求項５に記載のカメラの外部制御システム。
　【請求項８】　上記プログラム特定手段が特定した外部プログラムに格納されているテキスト情報を表示するための表示手段を具備することを特徴とする請求項５に記載のカメラの外部制御システム。
　【請求項９】  記録媒体に画像情報を生成するときに用いられるプログラムを記録するプログラム記録手段と、
　上記記録媒体に記録されているプログラムに対応するサンプル画像情報を保持するサンプル画像情報保持手段と、
　上記サンプル画像情報保持手段に保持されているサンプル画像情報を表示させ、当該サンプル画像によって対応する上記プログラムを指定可能とするための表示手段と、
　指定された上記プログラムを実行して画像情報を生成する画像情報生成手段と、
　上記画像情報生成手段によって画像情報を生成するときに、当該画像情報とともに当該画像情報を生成するときに用いられたプログラムを特定するための情報を格納して画像ファイルを作成する画像ファイル作成手段と
　を具備することを特徴とする電子カメラ。
　【請求項１０】  上記画像ファイル作成手段は、撮像したときに画像ファイルを作成することを特徴とする請求項９に記載の電子カメラ。
　
　（ｂ）補正後各発明が備える主要構成
　（ｂ１）査定で引用された各刊行物のいずれにも、補正後各発明が備える下記の主要構成は記載されていない。また、各刊行物を組み合わせても、同主要構成を導くことはできない。
　　　　　記１（請求項１から請求項４までの主要構成）
　記録媒体に記録されている複数の外部プログラムに対応するサンプル画像情報を保持するサンプル画像情報保持手段と、サンプル画像情報保持手段に保持されているサンプル画像情報を表示させ、当該サンプル画像情報によって対応する外部プログラムを指定可能とするためのサンプル画像情報表示手段とを備えること。
　　　　　記２（請求項５から請求項８までの主要構成）
　外部プログラムを、当該外部プログラムにより発生可能な画像効果を表現したサンプル画像とともにカメラに転送するプログラム転送手段を備えること。
　　　　　記３（請求項９および請求項１０の主要構成）
　記録媒体に記録されているプログラムに対応するサンプル画像情報を保持するサンプル画像情報保持手段と、サンプル画像情報保持手段に保持されているサンプル画像情報を表示させ、当該サンプル画像によって対応するプログラムを指定可能とするための表示手段とを備えること。
　（ｂ２）そして、補正後各発明は、上記各主要構成を備えることにより、「外部プログラムによって行われる画像処理の結果を目で見て確認することができるようになり、どの外部プログラムを選択すればよいのかをユーザに理解させ易くすることができる。」（段落0087）との効果を奏するものである。
　（ｂ３）以上によれば、補正後各発明は、上記刊行物に記載された各発明に基づいて当業者が容易に発明をすることができたものであるとすることはできない。
　
　（ｃ）刊行物の記載
　以下、査定に引用された上記刊行物の記載を見ておく。
　（ｃ１）刊行物１（特開平６−３１５１０６号公報）
　（ｃ１１）刊行物１には、「電子スチルカメラ」に関し、図面と共に次に掲げる事項が記載されている。
　　「さらに、パソコン用のディスプレイの画素の縦横比は、一般的に電子スチルカメラのＣＣＤのそれに対して横に１．２倍程度広いものとなっているために、電子スチルカメラで撮影した画像データをそのまま該ディスプレイ上で表示させると、少し縦につぶれたような画像になってしまうということもあった。これをパソコン上のソフトウエア等で補正することも可能であるが、該補正のための演算が必要であるために再生の速度が遅くなり望ましくない。」（段落0004）
　　「次に、上記電子スチルカメラで記録する際の動作を、図２のフローチャートを参照して説明する。　
　記録動作を開始すると、まず上記操作部１８に設けられた後述する記録態様認識手段たる記録モード切換スイッチ４９（図４参照）の状態より、該電子スチルカメラの状態がカメラ対応モードであるかパソコン対応モードになっているかを判断する（Ｓ１）。パソコン対応モードになっているときには、パソコン用のディスプレイのアスペクト比に対応するために、垂直方向の補間処理を行う（Ｓ２）。すなわち、上記フレームメモリ６に書き込まれた画像データをＤＣＴ７へ転送する際に、メモリコントローラ５の指令によって例えば５ライン毎に１ラインずつ同じデータを送ることによって、縦方向に１．２倍長いアスペクト比のパソコン用ディスプレイに対応することができる。また、カメラ対応モードになっているときには、この補間処理は必要ないので行わない。」（段落0014）
　　「そして、該画像データはＤＣＴ７で圧縮処理されて（Ｓ３）、上述のようにＩＣメモリカード１０等の記録媒体に記録される（Ｓ４）。このとき、該記録媒体には２種類のフォーマットの画像データが混在することになるので、その識別子として画像データの先頭部分に、パソコン対応モードかカメラ対応モードかを示すフラグをヘッダ情報として付け加えて、再生時などに分類認識するための目安とする。」（段落0015）
　（ｃ１２）上記記載によれば、刊行物１には、電子スチルカメラで撮影した画像データをそのままパソコン用ディスプレイ上で表示させると、少し縦につぶれたような画像になってしまうとの問題に対して、従来、パソコン上のソフトウエア等で補正をしていたところへ、これを電子スチルカメラ側において垂直方向の「補間処理」により補正することが記載されている。
　ところで、この「補間処理」は、電子スチルカメラがパソコン対応モードのときに行い、カメラ対応モードのときには行わないところ、カメラ対応モードかパソコン対応モードかの選択（補間処理を行なうか否かの選択）は、カメラ本体に配設された記録モード切換スイッチ４９（スライドスイッチ（段落0024、図４））により設定される。
　このように、補間処理を行なうか否かの選択は、スライドスイッチにより選択するものである。他方、サンプル画像を記録する趣旨の記載はなく、したがって、表示したサンプル画像により選択をするものではない。
　刊行物１には、上記各主要構成にいう「サンプル画像情報」につき記載も示唆もない。
　（ｃ１３）なお、「補間処理」の実質は、「例えば５ライン毎に１ラインずつ同じデータを送る」（段落0014）ものであり、画像情報を直接処理するものではないから、補正後各発明にいう「画像情報を生成する（ときに用いられる外部プログラム）」にも当たらない。
　（ｃ２）刊行物２（特開平７−１３１７４６号公報）
　（ｃ２１）刊行物２には、「電子カメラ」に関し、図面と共に次に掲げる事項が記載されている。
　〈課題を解決するための手段〉
　　「本発明は、画像を記録するファイルの領域に主体領域と属性領域を設け、それぞれの領域に記録する情報を生成する処理プログラムを組み込み済みプログラムと外部プログラムを選択できる手段とそれを記憶する手段と、その記憶手段の記憶内容が外部プログラムを示す時には記録媒体からプログラムデータをＲＡＭへ転送しそのプログラムへ制御を移す手段とを有するものである。」（段落0007）
　〈設定動作〉
　　「まず、本発明のカメラを使用する際には、使用者はその動作に関して設定を行う。設定の際には外部コネクタ１２とパーソナルコンピュータとをケーブル（以下ＰＣ）にて接続し、ＰＣ上で設定プログラムを用いて設定を行う。」（段落0009、段落0010）
　　「設定内容は、
　・その動作モードによって処理される結果が、ファイルの主体になるのか、ファイルの属性になるのか、を設定する。
　・その動作モードを実行するプログラムがカメラに組み込まれているもの（Built In）か、否（External）かをまず設定し、その結果に従って、built inの時は図３に示すように
　・自然画記録かバーコード記録か
　・バーコードならば、バーコードの種類
　・自然画ならば、１画素あたりの記録ビット数
　・記録画素数
　・カラー画かモノクロ画か
　・カラー画記録ならば、記録する色空間
等を設定する。」（段落0013）
　　「また、External ならば、図４に示すように
　・外部プログラムのファイル名を設定し、さらにそのexternalプログラムが設定オプションを要するものであれば、
　・外部プログラムのオプション
を設定する。」（段落0014）
　　「以上、動作モード１の各種設定を終了したのち、次に同様に動作モード２、３・・・の設定を行う。このＰＣ上の設定プログラムは、動作モード１、２、３…の設定が終了したのち、本発明のカメラとケーブルを介して通信を行い、カメラ内部のＥＥＰＲＯＭへ設定情報を書き込みを行って動作を終了する。」（段落0015、段落0016）
　〈カメラレリーズ時の動作〉
　　「次にユーザーは、本発明のカメラの操作ボタンを操作してカメラの動作モードを指示する。」（段落0017）
　　「ユーザーがモード釦を押下する度に、ＬＣＤパネル上の動作モードを示すセグメント「１」「２」「３」「４」が順番に点灯する。ユーザーは、自分の望むモードの番号が点灯するように、数回モード釦を押下して動作モードを選択する。」（段落0019）
　　「動作モード番号を設定後ユーザーがレリーズ釦を押下する（Ｓ４０１）と、カメラはＥＥＰＲＯＭから先に設定されたその動作モード番号の設定情報を読みだし（Ｓ４０２）、それに従って処理を進める。」（段落0020）
　　「また、externalモードであるならば（Ｓ４０３）、externalプログラムのファイル名をＥＥＰＲＯＭから読みだし（Ｓ４２３）、そのファイル名のプログラムを記録媒体から読みだしてＤＲＡＭへ転送し（Ｓ４２４）、そのプログラムのエントリー番地をサブルーチンコールする（Ｓ４２５）ことによって、以後そのプログラムへ制御を渡す。」（段落0024）
　　「実行されるExternalプログラムは、必要があればさらにそのプログラム用の設定ファイルを記録媒体から読みだす。Externalプログラム実行終了時には、サブルーチンのリターン命令を実行することでカメラ本来の制御に復帰する。」（段落0025）
　〈Externalプログラムの内容〉
　　「図８に、Externalプログラムのフローチャートを示す。これは文字認識を行うプログラムである。」（段落0028、段落0029）
　（ｃ２２）上記記載によれば、刊行物２には、ユーザが動作モード番号を設定した後、レリーズ釦を押下すると、その動作モード番号の設定情報に従って処理を進める電子カメラについて記載されている。また、レリーズ動作に先立ち、カメラの動作モードをモード１から順に設定してゆくところ、その動作モードを実行するプログラムには「Built In」と「External」とがあり、その各々について各種設定を行なうことも記載されている。
　しかし、プログラムを選択することとなる動作モードの選択は、ユーザーが自分の望むモードの番号（モード釦を押下する度に順番に点灯する動作モードを示すセグメント「１」「２」「３」「４」）が点灯するように、数回モード釦を押下して選択するものである。他方、サンプル画像を記録する趣旨の記載はなく、したがって、表示したサンプル画像により選択をするものではない。
　刊行物２には、上記各主要構成にいう「サンプル画像情報」につき記載も示唆もない。
　（ｃ３）刊行物３（特開平５−６８２０１号公報）
　（ｃ３１）刊行物３には、「撮影装置」に関し、図面と共に次に掲げる事項が記載されている。
　　「【従来の技術】　従来、この種の撮影装置においては、プログラムＡＥは１つのＥＶ値に対して１対１で対応しているが、撮影目的や被写体によっては特定のシャッタースピード（もしくは絞り値）を選んだ方が望ましいこともある。そのため、複数のプログラム線図を持ち、それを切換えて使用するカメラが知られている。しかし、このようなカメラでは撮影目的によってプログラム線図を選択する場合に、経験や知識にたよるところが多かった。また、多種のプログラム線図を持つために、その切換えのための表示手段や入力手段が必要であり、表示及び操作が単一のプログラムよりも複雑になるという問題があった。そこで、上記問題点を解決するために、例えばバーコードあるいはＩＣカードによりコード化された撮影モード情報を入力することによって、カメラの撮影モードを制御する制御方式が提案されている。」（段落0002）
　　「記録媒体９には、前述の如く撮影モード情報が記録されているが、この情報も記録再生部８によって再生される。１１は記録再生部８で再生された撮影モード情報を読取るための読取回路であり、読取られた撮影モード情報は制御回路７内のメモリ７ａに記録される。」（段落0007）
　　「まず、不図示のレリーズボタンをオンすると、センサ１０で検出された被写体の情報が制御回路７に送られる。また、スイッチ１２をオンすると、記録再生部８により記録媒体９に記録された撮影モード情報が再生され、この情報は更に読取回路１１で読取られてメモリ７ａに記録される。制御回路７では、センサ１０で得られた情報とメモリ７ａに書込まれた情報に基づいて、所定の演算処理を行なう。得られた結果は、撮像光学系の駆動部２、３や絞り４、あるいは撮像素子５に送られ、駆動部２、３、絞り４の絞り値及び撮像素子５の露光時間がそれぞれ制御される。撮像素子５で得られた信号は信号処理回路６に送られ、映像信号が生成される。得られた映像信号は記録再生部８の記録動作により記録媒体９に記録される。なお、撮影モード情報として複数の情報を記録することも可能であり、この場合には複数の情報の中から選択してメモリ７ａに記憶すればよい。」（段落0008）
　（ｃ３２）上記記載によれば、刊行物３には、記録媒体に「撮影モード情報」を記録しておき、レリーズボタンのオン時、記録媒体９から読み取られた「撮影モード情報」に基づいて絞り値及び露光時間を演算処理することが記載されている。そして、「撮影モード情報」を複数記録する場合には複数の情報の中から選択することが記載されている。
　しかし、複数の「撮影モード情報」の中から選択する手段の具体については記載がない。他方、サンプル画像を記録する趣旨の記載もなく、したがって、表示したサンプル画像により選択をするものではない。
　刊行物３には、上記各主要構成にいう「サンプル画像情報」につき記載も示唆もない。
　
　（ｄ）前置報告書
　前置報告書は、表示したサンプル画像により選択することは周知の技術であるとして、新たに「特開平５−２６０３６４号公報」（報告書刊行物という）を引用するので、以下検討する。
　（ｄ１）補正後各発明の「画像情報を生成する」
　本願明細書には、「【産業上の利用分野】本発明は電子カメラおよびカメラの外部制御システムに関し、特に、撮像した画像に画像処理を施すためのプログラムを外部から供給するようにした電子カメラおよびカメラの外部制御システムに用いて好適なものである。」（段落0001）、「例えば、撮像する画像に何らかの画像処理を加えてから記録する等の応用も考えられる。例えば、ラインアート画像、エッジ検出画像、輪郭抽出画像等を生成するための外部プログラムを外部から供給することができる。」（段落0008）と記載されている。
　これによれば、補正後各発明にいう「画像情報を生成する（ときに用いられる外部プログラム）」は、撮像した画像に画像処理を加えて画像情報（ラインアート画像、エッジ検出画像、輪郭抽出画像等）を生成することを言うのであり、撮像した画像自体を生成することを言うのではないことが認められる。
　（ｄ２）報告書刊行物
　報告書刊行物には、「電子スチルカメラ」に関し、図面と共に次に掲げる事項が記載されている。
　　「ＣＣＤ７より出力される画像情報は信号処理回路８で同期信号が付加される等の処理がなされ映像信号が作成される。記録回路９は信号処理回路８より送られる画像データを記録に適したフォーマットすなわち所定の変調等をかけてフロッピーディスク１の空きトラックに書き込む。」（段落0006）
　　「図３はモード設定フロッピーディスクの外観およびその記録内容の一例を説明するための図である。モード設定フロッピーディスクは画像記録用の１〜５０トラックと、キュートラック（５２トラック目）により構成されている。１〜５０トラックには図２のＲＡＭの各撮影条件で撮影したときの画像が格納されている。図４はその画像をマルチ画面に再生したときの画像サンプルを示す図である。この画像サンプルに示されているのは花の画像で、図２のＲＡＭの撮影条件ではシャッタ速度は１／２５０秒に固定され、絞りが一段階ずつ絞られているので、１トラックから順番に一段階ずつ露出値が小さくなっているものが格納されている。また、キュートラックには各画像トラック番号とモード番号とを対応付けるデータが格納されている。」（段落0009）
　　「ユーザはこのように各モードの画像サンプルを見てどの撮影条件を設定するかを選択することができる。ユーザが自ら希望するイメージに最も近いものを選び設定スイッチ１１ｂでそのトラックを指定する（ステップ５，６）と、既に読み込んであるキュートラックデータを参照してモード番号を認識する。そして、ＲＡＭ２１よりそのモード番号対応の撮影条件を読みだす。」（段落0011）
　（ｄ３）報告書刊行物に記載の発明
　上記記載によれば、報告書刊行物には、モード（撮影時のシャッタースピード及び絞りにより識別される）に対応したサンプル画像を表示画面上に表示し、これらサンプル画像の中から選択されたモードに対応したシャッタースピード及び絞りを設定して撮影を行うことが記載されている。
　ここで、サンプル画像によって選択可能（補正後各発明にいう「指定可能」）とされるのは撮影時のシャッタースピード及び絞り等の「撮影条件」であることは前記のとおりであるところ、「撮影条件」は、被写体を撮影して撮像した画像を生成するために設定するものであり、撮像した画像に画像処理を加えて画像情報を生成する（補正後発明にいう「画像情報を生成する」）ために設定するものではない。しかも、撮像した画像に画像処理を加えて画像情報を生成すること自体も、報告書刊行物には記載がない。
　報告書刊行物には、そもそも「撮像した画像に画像処理を加える」（画像情報を生成する）構成がないことから、その選択手法（表示したサンプル画像の中から選択する）を「撮像した画像に画像処理を加える」際の画像処理の選択に採用する動機付けを欠いており、報告書刊行物をベースとする立論には無理がある。
　（ｄ４）刊行物１から刊行物３までと報告書刊行物
　刊行物１から刊行物３までのいずれにも「サンプル画像」に関する記載がない上に、報告書刊行物の選択手法は「撮影条件」を対象としたものであり「撮像した画像に画像処理を加える」際の画像処理を対象としたものでないことは前記のとおりであるから、刊行物１から刊行物３までの各選択手段（スライドスイッチ、モード釦等）を報告書刊行物の選択手法に置き換えることは容易になし得る、とすることはできない。
　
　（ｅ）また、補正後各発明につき、他に特許を受けることができないとする理由を発見しない。
　
　（ｆ）小括（独立特許要件）
　以上、本件補正は特許請求の範囲の減縮を目的とするところ、上記補正後各発明は、いずれも特許出願の際独立して特許を受けることができるものである。
　
（２−４）まとめ（補正の適否）
　平成１６年１０月２５日付け手続補正は、上記各規定に適合する。
　
３．本願発明
　上記のとおり、平成１６年１０月２５日付け手続補正は採用し得る適法なものである。
　本願の請求項１から請求項１０までに係る発明は、本願明細書及び図面（平成１２年１２月２８日付け、平成１５年１０月１４日付け、平成１６年１０月２５日付けの各手続補正書により補正された明細書及び図面）の記載からみて、その特許請求の範囲の請求項１から請求項１０までに記載した事項により特定されるとおりのものである（上記補正後各発明と同じである）。
　
４．査定の検討
　本願の請求項１から請求項１０までに係る発明は、補正後各発明の独立特許要件についてした上記判断での理由と同じ理由により、原査定で引用された刊行物１から刊行物３までに記載された発明に基づいて当業者が容易に発明をすることができたものであるとすることはできない。
　
５．むすび
　以上、本願の請求項１から請求項１０までに係る発明が刊行物１から刊行物３までに記載された発明に基づいて当業者が容易に発明をすることができたものであるという原査定の理由によっては本願を拒絶することはできない。  
　また、他に、本願を拒絶すべき理由を発見しない。
　よって、結論のとおり審決する。